(57)【特許請求の範囲】
【請求項１】
交流電源を遊技機に使用する出力電圧の異なる複数の直流電源に変換する直流電源生成部と、直流電源生成部で変換された出力電圧の異なる複数の直流電源を異なる複数の制御装置に個別に出力する複数の出力コネクタと、直流電源生成部で変換された１つの出力電圧の直流電源から停電処理に必要な信号やバックアップ電源を上記複数の制御装置に個別に出力する複数の出力コネクタとが、電源装置の回路基板に設けられた遊技機の電源装置において、上記直流電源生成部で変換された出力電圧の異なる複数の直流電源を異なる複数の制御装置に個別に出力する複数の出力コネクタが１つのグランド端子と複数の異なる出力電圧端子とを同一個数でかつ同一配列に有し、上記直流電源生成部で変換された１つの出力電圧の直流電源から停電処理に必要な信号やバックアップ電源を異なる複数の制御装置に個別に出力する複数の出力コネクタが信号出力端子とバックアップ電源出力端子とを同一個数でかつ同一配列に有し、上記直流電源生成部で変換された出力電圧の異なる複数の直流電源を異なる複数の制御装置に個別に出力する複数の出力コネクタの端子数と上記直流電源生成部で変換された１つの出力電圧の直流電源から停電処理に必要な信号やバックアップ電源を異なる複数の制御装置に個別に出力する複数の出力コネクタの端子数とが互いに異なることを特徴とする遊技機の電源装置。
【請求項２】
交流電源を遊技機に使用する出力電圧の異なる複数の直流電源に変換する直流電源生成部が電源装置の回路基板のケースカバーで覆われた内側に設けられ、直流電源生成部で変換された出力電圧の異なる複数の直流電源を異なる複数の制御装置に個別に出力する複数の出力コネクタと、直流電源生成部で変換された１つの出力電圧の直流電源から停電処理に必要な信号やバックアップ電源を異なる複数の制御装置に個別に出力する複数の出力コネクタとが、電源装置の回路基板のケースカバーより外側に突出した部分に設けられたことを特徴とする請求項１記載の遊技機の電源装置。
【発明の詳細な説明】
【０００１】
【発明の属する技術分野】
本発明は、島側電源からの交流電源を遊技機に使用する直流電源に変換する電源装置に関する。
【０００２】
【従来の技術】
特開平１１−１２８４９４号公報には、公共機関による検査容易と遊技者に対する不正防止との観点から、遊技機の制御装置を主制御装置、図柄制御装置、効果音制御装置、表示灯制御装置、球払出制御装置、球発射制御装置等に機能分割することが開示されている。
【０００３】
【発明が解決しようとする課題】
しかし、前記従来のように制御装置を複数に機能分割すると、電源装置に接続される制御装置の数が多くなり、電源装置と機能分割された各制御装置との接続構造が複雑になることは否めない。
【０００４】
【課題を解決するための手段】
本発明は、交流電源を遊技機に使用する出力電圧の異なる複数の直流電源に変換する直流電源生成部と、直流電源生成部で変換された出力電圧の異なる複数の直流電源を異なる複数の制御装置に個別に出力する複数の出力コネクタと、直流電源生成部で変換された１つの出力電圧の直流電源から停電処理に必要な信号やバックアップ電源を上記複数の制御装置に個別に出力する複数の出力コネクタとが、電源装置の回路基板に設けられた遊技機の電源装置において、上記直流電源生成部で変換された出力電圧の異なる複数の直流電源を異なる複数の制御装置に個別に出力する複数の出力コネクタが１つのグランド端子と複数の異なる出力電圧端子とを同一個数でかつ同一配列に有し、上記直流電源生成部で変換された１つの出力電圧の直流電源から停電処理に必要な信号やバックアップ電源を異なる複数の制御装置に個別に出力する複数の出力コネクタが信号出力端子とバックアップ電源出力端子とを同一個数でかつ同一配列に有し、上記直流電源生成部で変換された出力電圧の異なる複数の直流電源を異なる複数の制御装置に個別に出力する複数の出力コネクタの端子数と上記直流電源生成部で変換された１つの出力電圧の直流電源から停電処理に必要な信号やバックアップ電源を異なる複数の制御装置に個別に出力する複数の出力コネクタの端子数とが互いに異なることを特徴としている。よって、本発明によれば、異なる複数の制御装置の電源装置への誤接続を防ぐことができ、出力電圧の異なる複数の直流電源を出力する複数の制御装置に個別に出力する複数の出力コネクタと直流電源から停電処理に必要な信号やバックアップ電源を上記複数の制御装置に個別に出力する複数の出力コネクタとに分けられているので、不審物の発見がしやすくなり、不正防止に役立つ。また、本発明にあっては、交流電源を遊技機に使用する出力電圧の異なる複数の直流電源に変換する直流電源生成部が電源装置の回路基板のケースカバーで覆われた内側に設けられ、直流電源生成部で変換された出力電圧の異なる複数の直流電源を異なる複数の制御装置に個別に出力する複数の出力コネクタと、直流電源生成部で変換された１つの出力電圧の直流電源から停電処理に必要な信号やバックアップ電源を異なる複数の制御装置に個別に出力する複数の出力コネクタとが、電源装置の回路基板のケースカバーより外側に突出した部分に設けられれば、ケースカバーを回路基板から取り外すことなく、複数の制御装置を出力電圧の異なる複数の直流電源を出力する複数の出力コネクタと直流電源から停電処理に必要な信号やバックアップ電源を異なる複数の制御装置に個別に出力する複数の出力コネクタとに個別に簡単に接続することができる。
【０００５】
【課題を解決するための手段】
１つの発明にあっては、交流電源を遊技機に使用する複数系統の直流電源に変換すると共に直流電源より所定の信号を生成する遊技機の電源装置において、グランド端子と直流電源系統の出力端子のみから成り同一の端子配列を有する複数の出力コネクタを備えたことを特徴としている。又、もう１つの発明にあっては、交流電源を遊技機に使用する複数系統の直流電源に変換すると共に直流電源より所定の信号を生成する遊技機の電源装置において、信号系統の出力端子とバックアップ用直流電源の出力端子のみから成り同一の端子配列を有する複数の出力コネクタを備えたことを特徴としている。よって、これら２つの発明によれば、複数の制御装置を電源装置に別々に接続する場合において、複数の制御装置の接続部分も同じで良いので、電源装置と複数の電源装置との接続に際する誤挿入を防ぐことができると共に電源系統と信号系統とを分けることがで、不審物の発見がしやすくなり、不正防止に役立つ。上記２つの発明の何れであっても、複数の出力コネクタは形状が同じであれば、複数の制御装置の配置によるコネクタの使分けが可能となる。
【０００６】
【発明の実施の形態】
図１〜図５は本発明の一実施形態であって、図１は電源装置１の外観を示し、図２はコネクタ１０７〜１１３と出力端４５〜５３との対応付けを示し、図３は電源装置１の内部構成を示し、図４は出力部６１；６２を示し、図５はパチンコ機の電力系統を示す。
【０００７】
図１を参照し、電源装置１の外観構造について説明する。電源装置１は、アルミニウムからなるＬ字形の放熱板１００と回路基板１０１とが鋼板のような鉄系金属からなるケースベース１０２の上に収納され、鋼板のような鉄系金属からなるケースカバー１０３が回路基板１０１に被せられると共に放熱板１００と係合された後、金属製の止ねじ１０４がケースカバー１０３の脚部１０５と回路基板１０１とケースベース１０２とを締結し、金属製の止ねじ１０６が回路基板１０１とケースベース１０２とを締結し、図外の金属製の止ねじが放熱板１００とケースベース１０２とを締結する。これによって、電源装置１が組立てられる。
【０００８】
回路基板１０１のケースカバー１０３より外側に突出した部分には、３端子型のコネクタ１０７、２端子型のコネクタ１０８；１０９、４端子型のコネクタ１１０；１１１、５端子型のコネクタ１１２；１１３、図３の初期化スイッチＩＳ、図３の過電流保護素子２５を構成する管ヒューズ１１４、図３の過電流保護素子２８を構成する管ヒューズ１１５、図３のアラーム内部表示回路９からのアラーム出力により駆動されるＬＥＤのような表示電気部品であるアラーム表示灯１１６等が実装される。回路基板１０１のケースカバー１０３で覆われた内部には、図３の電源スイッチ２、初期化スイッチＩＳ、電源側入力端３、過電流保護素子２５；２８、出力端４５〜５３以外の電気部品が実装される。ケースカバー１０３の上面と手前側面及び右側面には多数の放熱孔１１７が形成される。
【０００９】
図２を参照し、コネクタ１０７〜１１３と出力端４５〜５３との対応付けについて説明する。コネクタ１０７の３端子はＡＣ２４ボルトの２端子と外部接地用１端子であり、コネクタ１０８の２端子は電源スイッチ２の２端子であり、コネクタ１０９の２端子は出力端４５に相当するＡＣ２４ボルトの２端子であり、コネクタ１１０の４端子は図４における出力部６１側の出力端５０〜５３の４端子であり、コネクタ１１１の４端子は図４における出力部６２側の出力端５０〜５３の４端子であり、コネクタ１１２の５端子は図４における出力部６１側の出力端４６〜４９とグランドＧＮＤの５端子であり、コネクタ１１３の５端子は図４における出力部６２側の出力端４６〜４９とグランドＧＮＤの５端子である。
【００１０】
図３を参照し、電源装置１の内部構造について説明する。電源装置１のロッカースイッチのような２位置切替型の電源スイッチ２が投入されると、ＡＣ２４ボルト（ＡＣ２４Ｖ）のような交流電源がパチンコ店の島側トランスのような島側電源装置５４から電源装置１の電源側入力端３及び入力側処理部４を経由して直流電源生成部５に入力され、直流電源生成部５が交流電源を全波整流して粗整流の直流電源に変換し、その粗整流の直流電源をパチンコ機のような遊技機に使用するＤＣ１２ボルト（ＤＣ１２Ｖ）やＤＣ５ボルト（ＤＣ５Ｖ）のような定電圧の直流電源に変換し、その定電圧の直流電源を後述する制御装置に出力する。そして、制御装置が電源装置１から供給された直流電源により駆動するボードマイコンのようなコンピュータで遊技の制御処理により後述する遊技部品を制御する。
【００１１】
この実施形態では、島側電源装置５４が電源装置１の電源側入力端３に配線された状態において、１００ボルト検出回路７が電源側入力端３及び過電流保護回路６を経由して供給されるＡＣ電源を整流すると共に平滑し、その平滑電源から電源側入力端３に接続されたＡＣ電源を検出し、上記平滑電源をリレー駆動電源としてリレー制御回路８へ供給する。ここで、ＡＣ１００ボルト電源が電源側入力端３に接続されたことを１００ボルト検出回路７が検出した場合は、１００ボルト検出回路７がリレー制御回路８へのリレー駆動電源の供給を遮断すると共にアラーム内部表示回路９にアラーム出力を出力し、アラーム内部表示回路９が電源側入力端３へのＡＣ１００ボルト電源の接続を電源装置１の外側に表示するためのＬＥＤのような表示電気部品を駆動する。
【００１２】
リレー制御回路８は、１００ボルト検出回路７からのリレー駆動電源と、電源スイッチ２のオン又はオフ動作に基づくスイッチ入力回路１０からのスイッチ入力信号と、ＤＣ５ボルト過電圧検出回路２３又はＤＣ１２ボルト過電圧検出回路２０からの過電圧検出信号とにより、リレー１１のリレーコイル１２への電力供給又は遮断を制御する。つまり、１００ボルト検出回路７がＡＣ１００ボルトを検出せず、ＤＣ５ボルト過電圧検出回路２３又はＤＣ１２ボルト過電圧検出回路２０が過電圧を検出していない場合、リレー制御回路８は電源スイッチ２のオン又はオフ動作に応じてリレーコイル１２に電力を供給又は遮断する。スイッチ入力回路１０は電源スイッチ２のオン又はオフ動作によるスイッチ入力信号をリレー制御回路８に出力する。スイッチ入力回路１０とリレー制御回路８及びリレー１１がオンオフ回路を形成する。
【００１３】
リレー接点１３がオン動作した状態において、ノイズフィルタ１５が過電流保護回路６よりリレー接点１３を経由して入力されたＡＣ２４ボルトの交流電力に乗ってきた電源ラインノイズを除去すると共にＡＣ２４ボルトを全波整流回路１６に出力し、全波整流回路１６がＡＣ２４ボルトの交流電力を全波整流して平滑コンデンサよりなる平滑回路１７に出力し、平滑回路１７が電圧を平坦化してＤＣ１２ボルト過電流検出回路１８及びＤＣ５ボルト過電流検出回路２１を経由してＤＣ１２ボルト電源回路１９及びＤＣ５ボルト電源回路２２に個別に出力し、ＤＣ１２ボルト電源回路１９が入力された電圧をＤＣ１２ボルトの定電圧として出力し、ＤＣ５ボルト電源回路２２が入力された電圧をＤＣ５ボルトの定電圧として出力する。
【００１４】
ＤＣ１２ボルト過電流検出回路１８はＤＣ１２ボルト電源回路１９への流入電流を監視し、ＤＣ５ボルト過電流検出回路２１はＤＣ５ボルト電源回路２２への流入電流を監視する。もしも、ＤＣ１２ボルト電源回路１９に電源装置１の出力端４７；４８を介して接続された制御装置が短絡した場合、上記監視している流入電流も異常に増加するため、ＤＣ１２ボルト過電流検出回路１８は過電流と判断しその判断結果をＤＣ１２ボルト電源回路１９へ伝達する。ＤＣ５ボルト電源回路２２に電源装置１の出力端４９；５０を介して接続された制御装置が短絡した場合、上記監視している流入電流も異常に増加するため、ＤＣ５ボルト過電流検出回路２１は過電流と判断しその判断結果をＤＣ５ボルト電源回路２２へ伝達する。これによって、ＤＣ１２ボルト電源回路１９ではＤＣ１２ボルト過電流検出回路１８からの過電流検出信号を受けて、自らの出力電圧若しくは出力電流或いは双方を低下させることで自らを保護し、ＤＣ５ボルト電源回路２２ではＤＣ５ボルト過電流検出回路２１からの過電流検出信号を受けて、自らの出力電圧若しくは出力電流或いは双方を低下させることで自らを保護する。
【００１５】
ＤＣ１２ボルト過電圧検出回路２０はＤＣ１２ボルト電源回路１９より入力された電圧を検出し、検出電圧がＤＣ１２ボルトより大きい場合はリレー制御回路８に過電圧検出信号を出力し、検出電圧がＤＣ１２ボルト以下の場合は動作せずそのままＤＣ１２ボルトを出力する。ＤＣ５ボルト過電圧検出回路２３はＤＣ５ボルト電源回路２２より入力された電圧を検出し、検出電圧がＤＣ５ボルトより大きい場合はリレー制御回路８に過電圧検出信号を出力し、検出電圧がＤＣ５ボルト以下の場合は動作せずそのままＤＣ５ボルトを出力する。
【００１６】
リレー接点１３の出力側に過電流保護素子２５を介して配線された交流出力系統２６の出力端４５ではリレー接点１３を経由して入力されたＡＣ２４ボルト（ＡＣ２４Ｖと表記）のような交流電源を電源装置１の外部に取出すことができ、全波整流回路１６の出力側に過電流保護素子２８を介して配線されたＤＣ２４ボルト出力系統２７の出力端４６では粗整流のＤＣ２４ボルト（ＤＣ２４Ｖと表記）のような直流電源を電源装置１の外部に取出すことができる。ＤＣ２４ボルト出力系統２７に配線された断路手段３７のリレーコイル３８は全波整流回路１６から過電流保護素子２８を経由してＤＣ２４ボルト出力系統２７への粗整流のＤＣ２４ボルトのような直流電源の供給又は遮断により断路手段３７のリレー接点３９をオン又はオフ動作する。
【００１７】
ＤＣ１２ボルト電源回路１９にＤＣ１２ボルト過電圧検出回路２０及びリレー接点３９を介して配線されたＤＣ１２ボルトＳ出力系統（ＤＣ１２ボルト短保持系統）２９の出力端４７ではリレー接点３９がオン動作した状態においてＤＣ１２ボルト（ＤＣ１２ＶＳと表記）のような直流電源を電源装置１の外部に取出すことができ、リレー接点３９がオフ動作すると、出力端４７への直流電源の供給が遮断される。ＤＣ１２ボルト電源回路１９にＤＣ１２ボルト過電圧検出回路２０を介して配線された小容量のコンデンサよりなるバックアップ手段３１を有するＤＣ１２ボルトＬ出力系統（ＤＣ１２ボルト長保持系統）３０の出力端４８ではＤＣ１２ボルト（ＤＣ１２ＶＬと表記）のような直流電源を電源装置１の外部に取出すことができる。
【００１８】
ＤＣ５ボルト電源回路２２にＤＣ５ボルト過電圧検出回路２３を介して配線された小容量のコンデンサよりなるバックアップ手段３３を有するＤＣ５ボルト出力系統３２の出力端４９ではＤＣ５ボルト（ＤＣ５Ｖと表記）のような直流電源を電源装置１の外部に取出すことができ、ＤＣ５ボルト電源回路２２にＤＣ５ボルト過電圧検出回路２３とショットキーダイオード３５とを介して配線された大容量のコンデンサよりなるバックアップ手段３６を有するＤＣ５ボルトＢ出力系統３４の出力端５０ではＤＣ５ボルト（ＤＣ５ＶＢと表記）のような直流電源を電源装置１の外部に取出せる。ＤＣ５ボルトＢ出力系統３４は図５の主制御装置７０、特別図柄制御装置７１、球払出制御装置７４等のメモリとしてのＳＲＡＭに供給される電源となっている。
【００１９】
ＤＣ１２ボルト電源回路１９からＤＣ１２ボルト過電圧検出回路２０を経由してＤＣ１２ボルトＬ出力系統３０に出力された定電圧の直流電源がバックアップ手段３１に充電され、又、ＤＣ５ボルト電源回路２２からＤＣ５ボルト過電圧検出回路２３を経由してＤＣ５ボルト出力系統３２やＤＣ５ボルトＢ出力系統３４に出力された定電圧の直流電源がバックアップ手段３３；３６に充電された状態において、電源スイッチ２が遮断操作されるか又は島側電源装置５４側で瞬停又は停電が発生した場合、出力端４５；４６；４７では電源スイッチ２が遮断操作直後又は瞬停発生直後又は停電発生直後に電源が遮断されるが、出力端４８；４９；５０では、平滑回路１７中の平滑コンデンサの容量とバックアップ手段３１；３３；３６の容量及び出力端４８；４９；５０に接続された負荷での消費量に応じた時間だけバックアップ手段３１；３３；３６からの放電により電源が保持される。
【００２０】
又、ＤＣ５ボルトＢ出力系統３４にショットキーダイオード３５が設けられたことから、出力端４９でのバックアップ手段３３からの放電が完了しても、バックアップ手段３６からの放電がショットキーダイオード３５で遮断されてＤＣ５ボルト出力系統３２に流れ込むことは防止される。よって、ＤＣ５ボルトＢ出力系統３４に接続されたＳＲＡＭのデータ保持時間は、平滑回路１７中の平滑コンデンサの容量と、バックアップ手段３６の容量と、ショットキーダイオード３５での漏れ電流（ショットキーダイオード３５からの逆流分）、平滑コンデンサやバックアップ手段３６のコンデンサの自己放電により決定される。
【００２１】
初期化指示手段４０は、人為的に投入されると、制御装置にバックアップされた記憶を消去するための指示としてのＬレベル（低電位）出力を制御装置に出力し、それ以外はＨレベル（高電位）出力を制御装置に出力する。即ち、初期化指示手段４０において、電源装置１からＤＣ１２ボルト又はＤＣ５ボルトのような定電圧の直流電源が供給される第１電源Ｖｃｃ１は抵抗Ｒを経由してトランジスタＴｒ１；Ｔｒ２のベースに接続され、電源装置１からＨレベル出力用としてＤＣ５ボルトのような定電圧の直流電源が供給される第２電源Ｖｃｃ２はトランジスタＴｒ１のコレクタに接続される。その状態において、ディップスイッチのような２位置切替型の初期化スイッチＩＳが人為的にオン操作されると、第１電源Ｖｃｃ１から供給されたトランジスタＴｒ１；Ｔｒ２の双方のベース電位が低下し、トランジスタＴｒ１がオフ動作し、トランジスタＴｒ２がオン動作することにより、出力端５１からＬレベル出力が制御装置に出力される。
【００２２】
逆に、初期化スイッチＩＳが人為的にオフ操作されると、第１電源Ｖｃｃ１から供給されたトランジスタＴｒ１；Ｔｒ２の双方のベース電位が上昇し、トランジスタＴｒ２がオフ動作し、トランジスタＴｒ１がオン動作することにより、第２電源Ｖｃｃ２がトランジスタＴｒ１を経由して出力端５１に流れ、出力端５１からＨレベル出力が制御装置に出力される。要するに、初期化指示手段４０は第１及び第２電源Ｖｃｃ１；Ｖｃｃ２に電源装置１で生成された定電圧の直流電源を採用し、初期化スイッチＩＳがオン動作されると、出力端５１がＬレベル出力を制御装置に出力し、初期化スイッチＩＳがオフ動作されると、出力端５１がＨレベル出力を制御装置に出力する。
【００２３】
パワーフェール発生回路４１及びリセット発生回路４２は瞬停又は停電発生時に電源装置１から受電している制御装置に退避処理を促すためのものである。パワーフェール発生回路４１は、平滑回路１７の平滑コンデンサから入力された直流電源の電圧がパワーフェール発生回路４１に設定された所定値以下になると、電源断信号であるＰＦ信号をリセット発生回路４２と出力端５２とに出力する。リセット発生回路４２はＰＦ信号の入力によりリセット信号であるＲＳＴ信号を出力端５３に出力する。結合子Ａは互いに接続されることを示す。
【００２４】
図４を参照し、電源装置１に設けられる複数の出力部６１；６２について説明する。出力部６１；６２は出力端４６〜５３並びにグランドＧＮＤを個別に備える。出力部６１には主制御装置７０が接続される。出力部６２には球払出制御装置７４が接続される。
【００２５】
そして、電源装置１から出力端４７を経由して主制御装置７０に送電されたＤＣ１２ボルトＳ出力系統２９の直流電源は図５の賞球振動モータ７９や普通図柄表示装置８０に用いられ、電源装置１から出力端４８を経由して主制御装置７０に送電されたＤＣ１２ボルトＬ出力系統３０の直流電源は図５の賞球関係各種スイッチ７６や遊技関係各種スイッチ７７及び賞球計数スイッチ７８並びに各種ソレノイド８１に用いられ、電源装置１から出力端４９；５０を経由して主制御装置７０に送電されたＤＣ５ボルト出力系統３２の直流電源やＤＣ５ボルトＢ出力系統３４の直流電源は主制御装置７０の動作に用いられる。
【００２６】
又、電源装置１から出力端４７を経由して球払出制御装置７４に送電されたＤＣ１２ボルトＳ出力系統２９の直流電源は図５の賞球ソレノイド８７や貸出球ソレノイド９０及び貸出振動モータ９１並びにプリペイドカードユニット９２に用いられ、電源装置１から出力端４８を経由して球払出制御装置７４に送電されたＤＣ１２ボルトＬ出力系統３０の直流電源は図５の賞球計数スイッチ７８や貸出関係各種スイッチ８９に用いられ、電源装置１から出力端４９；５０を経由して球払出制御装置７４に送電されたＤＣ５ボルト出力系統３２の直流電源やＤＣ５ボルト出力系統３４の直流電源は球払出制御装置７４の動作に用いられる。
【００２７】
球発射制御装置７５には球払出制御装置７４からＤＣ２４ボルト出力系統２７とＤＣ１２ボルトＳ出力系統２９及びＤＣ５ボルト出力系統３２等の直流電源が供給される。
【００２８】
電源スイッチ２の投入後に初期化スイッチＩＳが投入操作されることで電源装置１から出力端５１を経由して主制御装置７０及び球払出制御装置７４に送電されるＬレベルの初期化信号は双方の制御装置７０；７４の電源投入時の初期化処理を促すために用いられる。瞬停又は停電発生により電源装置１から出力端５２を経由して主制御装置７０及び球払出制御装置７４に送電されるＰＦ信号は双方の制御装置７０；７４の復電処理を促すために用いられ、ＰＦ信号に関連して（シーケンス制御的に）電源装置１から出力端５３を経由して主制御装置７０及び球払出制御装置７４に送電されるＲＳＴ信号は双方の制御装置７０；７４の復電処理を促すために用いられる。
【００２９】
つまり、主制御装置７０及び球払出制御装置７４ではＰＦ信号の立下がりエッジを検出すると、双方の制御装置７０；７４のＣＰＵがＰＦ信号を受けてＲＳＴ信号が低電位になるまでの時間ｔ４中に保持すべき処理データをＳＲＡＭのようなＲＡＭに退避すると共に図５の各種ソレノイド８１を止めるコマンドを出力する。復電後は、ＲＳＴ信号が時間ｔ５のような一定時間だけ低電位を維持されることで、双方の制御装置７０；７４ではプログラムを初期化した後に上記退避（バックアップ）されていたデータ内容を読み出して事後処理を再開する。
【００３０】
図５を参照し、パチンコ機の電力系統について説明する。前述した制御装置は、主制御装置７０、特別図柄制御装置７１、効果音制御装置７２、表示灯制御装置７３、球払出制御装置７４、球発射制御装置７５等に機能分割されている。主制御装置７０は、遊技盤の裏面に取付けられ、遊技制御装置と呼ばれることがあり、ＣＰＵとＲＯＭとＲＡＭとより成るマイクロコンピュータを内蔵し、主制御装置７０のマイクロコンピュータは、賞球関係各種スイッチ７６や遊技関係各種スイッチ７７及び賞球計数スイッチ７８から入力された検出信号が配線及び入力インターフェースを介して入力すると、ＣＰＵがＲＯＭに設定されたプログラムに基づき、ＲＡＭを処理過程の記憶手段として入力処理・エラー処理・図柄制御処理・賞球制御処理・外部情報処理・コマンドセット処理等の遊技全般の遊技処理を実行し、その処理結果であるコマンドを、出力インターフェース及び配線を介して、特別図柄制御装置７１、効果音制御装置７２、表示灯制御装置７３、球払出制御装置７４に別々の配線を介して個別に一方向に出力する。
【００３１】
主制御装置７０には、上記各制御装置７１〜７５に加え、初期化手段ＩＲＭ１、球払出機構に設けられた賞球振動モータ７９、遊技盤に設けられたデジタル表示器のような普通図柄表示装置８０、各種ソレノイド８１、盤側外部情報基板８２等が配線により接続される。賞球振動モータ７９は主制御装置７０からの指示により駆動して振動を発生し球払出機構での球詰りを防止する。
【００３２】
遊技関係各種スイッチ７７はゲージ盤と呼ばれる遊技盤側に設けられ、検出信号を配線により主制御装置７０に入力する。遊技関係各種スイッチ７７には、特別図柄始動口スイッチ、普通図柄始動口スイッチ、役物連続作動スイッチ、カウントスイッチ、普通入賞口スイッチ等がある。特別図柄始動口スイッチは特別図柄表示装置８４を作動させるために特別図柄始動口装置に入賞した球を検出する。普通図柄始動口スイッチは普通図柄表示装置８０を作動させるために普通図柄始動口装置に入賞した球を検出する。役物連続作動スイッチは大入賞口装置の球取入口の開閉を所定回数連続作動させるために大入賞口装置の特定口（Ｖゾーン）に入賞した球を検出する。カウントスイッチは所定個数の球が大入賞口装置に入賞されることにより大入賞口装置の球取入口を閉じるために大入賞口装置に入賞した球を検出する。普通入賞口スイッチは普通入賞口装置に入賞した球を検出する。役物連続作動スイッチ以外の遊技関係各種スイッチ７７からの検出信号に対応した所定個数の賞球が払出される。
【００３３】
賞球関係各種スイッチ７６は遊技盤を格納する本体枠側に設けられ、検出信号を配線により主制御装置７０に出力する。賞球関係各種スイッチ７６には、賞球補給スイッチ、賞球待機スイッチ、賞球オーバーフロースイッチ等がある。賞球補給スイッチは球払出機構の球の有無を検出する。賞球待機スイッチは賞球を払出すべき球が球払出機構に準備されているか否かを検出する。賞球オーバーフロースイッチは上皿より下皿に流下して所定位置より上位にオーバーフローしたオーバーフロー球を検出する。
【００３４】
賞球計数スイッチ７８は、球払出機構より賞球として払出される球を１個ずつ検出し、検出信号を配線により主制御装置７０及び球払出制御装置７４に出力する。主制御装置７０及び球払出制御装置７４は賞球計数スイッチ７８からの検出信号により球払出機構より賞球として払出される球数を主制御装置７０及び球払出制御装置７４で管理する。
【００３５】
普通図柄表示装置８０は遊技関係各種スイッチ７７における普通図柄始動口スイッチからの検出信号による普通図柄を表示するための処理結果である主制御装置７０からの駆動信号により普通図柄を可変表示した後に停止する。そして、停止した普通図柄が主制御装置７０に定められた当り図柄である場合、主制御装置７０は特別始動入賞口装置の開閉部材を開状態にする駆動信号を特別始動入賞口装置の開閉部材を駆動するソレノイドに出力する。この停止した図柄が主制御装置７０に定められた当り図柄であるか外れ図柄であるかは、普通図柄の停止により行われるのではなく、主制御装置７０が普通図柄始動口スイッチからの検出信号により普通図柄可変処理及び普通図柄当り決定表示等の処理により決める。特別図柄始動入賞口装置は開閉部材が開状態となることにより球が入賞しやすくなる。
【００３６】
各種ソレノイド８１としては、普通図柄始動口装置の開閉部材を駆動するソレノイド、大入賞口装置の開閉部材を駆動するソレノイド、大入賞口装置の内部に入賞した球の経路を変える可動部材を駆動するソレノイド等である。主制御装置７０は遊技関係各種スイッチ７７における特別図柄始動口スイッチからの検出信号により特別図柄可変処理及び大当り決定表示等の処理を行う。そして、特別図柄表示装置８４が特別図柄を可変表示した後に停止し、停止した特別図柄が主制御装置７０に定められた当り図柄である場合、主制御装置７０は大入賞口装置の開閉部材を開閉動作する駆動信号を大入賞口装置の開閉部材を駆動するソレノイドに出力する。大入賞口装置は開閉部材が開閉動作されることにより球が入賞可能となる。盤側外部情報基板８２は主制御装置７０とパチンコ店の営業管理装置であるホールコンピュータに信号の送信を配線により行う。
【００３７】
主制御装置７０から盤側外部情報基板８２に出力される情報としては、特別図柄始動口スイッチからの検出情報、特別図柄確定情報、高確率情報、特別図柄回転時間短縮情報、大当り情報等である。特別図柄表示装置に所定の特別図柄が停止されることで遊技者に有利な大当りとなるが、所定の特別図柄の中でも特定の特別図柄が停止されることで大当りの確率が高くなると共に特別図柄の変動表示回数が所定回数例えば５０回の間は特別図柄の変動時間が短縮される。大当りの確率が高くなったことを示すのが高確率情報であり、特別図柄の変動時間が短縮されたことを示すのが特別図柄回転時間短縮情報である。大当り情報は遊技者にとって有利な大当りであることを示す情報である。球発射制御装置７５には主制御装置７０からコマンドが球払出制御装置７４と配線とを経由して一方向に出力される。
【００３８】
特別図柄制御装置７１は、遊技盤に取付けられた特別図柄表示装置８４の裏面に設けられ、主制御装置７０から入力されたコマンドにより特別図柄をパチンコ機のセンター役物として設けられた液晶やＬＥＤ又はＣＲＴ或いはプラズマディスプレイ等の特別図柄表示装置８４に表示するためのコンピュータによる制御処理を行い、その処理結果である駆動信号を配線により特別図柄表示装置８４に出力する。主制御装置７０から特別図柄制御装置７１へのコマンドの種類には、デモ表示、左図柄変動開始、中図柄変動開始、右図柄変動開始、左図柄変動停止（停止図柄指示）、中図柄変動停止（停止図柄指示）、右図柄変動停止（停止図柄指示）、大当り決定表示、大当り中表示、大入賞口装置Ｖスイッチ入賞表示、大当り終了表示、カウントエラー表示、賞球エラー表示等がある。
【００３９】
効果音制御装置７２は、遊技盤の裏面に設けられ、主制御装置７０から入力されたコマンドにより効果音を本体枠に設けられたスピーカ８５で発生するためのコンピュータによる制御処理を行い、その処理結果である駆動信号を配線によりスピーカ８５に出力する。主制御装置７０から効果音制御装置７２へのコマンドの種類には、図柄始動口入賞音、特別図柄変動中音、リーチ音、特別図柄停止音、大当り決定音、大当り中音、大当り終了音、エラー音等がある。
【００４０】
表示灯制御装置７３は、遊技盤の裏面に設けられ、主制御装置７０から入力されたコマンドにより遊技盤や遊技盤を格納するパチンコ機の図示しない本体枠に設けられた表示灯８６を点灯又は点滅するためのコンピュータによる制御処理を行い、その処理結果である駆動信号を配線により表示灯８６に出力する。主制御装置７０から表示灯制御装置７３へのコマンドの種類には、デモ表示、特別図柄変動中表示、リーチ（左、中図柄一致）表示、大当り決定表示、大当り中表示、大当り終了表示、エラー表示、大入賞口装置Ｖ入賞表示灯表示、大入賞口装置Ｖ入賞表示灯消灯、保留記憶表示灯１個表示、保留記憶表示灯２個表示、保留記憶表示灯３個表示、保留記憶表示灯４個表示、保留記憶表示灯全消灯、賞球表示灯表示、賞球表示灯消灯、完了表示灯表示、完了表示灯消灯等がある。
【００４１】
球払出制御装置７４は、本体枠に設けられ、初期化手段ＩＲＭ２を備え、主制御装置７０から入力されたコマンドにより賞球を払出すためのコンピュータによる制御処理を行い、その処理結果である駆動信号を配線により球払出機構の賞球ソレノイド８７に出力する。球払出制御装置７４には球発射制御装置７５、賞球ソレノイド８７、枠側外部情報基板８８が配線により接続される。主制御装置７０から球払出制御装置７４へのコマンドの種類には、賞球停止、賞球許可、発射禁止、発射許可、賞球数指示等がある。
【００４２】
プリペードカード対応のパチンコ機の場合、球払出制御装置７４には貸出関係各種スイッチ８９、球払出機構の貸出球ソレノイド９０、貸出振動モータ９１、プリぺードカードユニット９２、パチンコ機に設けられたブザー９３が配線により接続される。貸出関係各種スイッチ８９には、貸出球補給スイッチ、貸出球待機スイッチ、貸出球オーバーフロースイッチ等がある。貸出球補給スイッチは球払出機構の球の有無を検出する。貸出球待機スイッチは貸出球を払出すべき球が球払出機構に準備されているか否かを検出する。貸出球オーバーフロースイッチは上皿より下皿に流下して所定位置より上位にオーバーフローしたオーバーフロー球を検出する。ブザー９３は貸出球の払出開始を音で報知する。プリぺードカードユニット９２は、パチンコ機と隣接配置されており、パチンコ機の前側に設けられた上皿装置９４に設けられた貸出スイッチと配線により接続される。
【００４３】
そして、プリペードカード対応のパチンコ機の場合、球払出制御装置７４は、プリぺードカードユニット９２との通信により上皿装置９４に設けられた図外の貸出操作スイッチから入力された球貸指示により貸球を払出すためのコンピュータによる制御処理を行い、その処理結果である駆動信号を貸出球ソレノイド９０に出力する。貸出振動モータ９１は球払出制御装置７４からの指示により駆動して振動を発生し球払出機構での球詰りを防止する。又、プリペードカード対応のパチンコ機では、プリぺードカードユニット９２が適正に接続されていない場合は発射禁止信号が主制御装置７０から球払出制御装置７４を経由して球発射制御装置７５に送信され、プリぺードカードユニット９２が適正に接続されている場合は発射許可信号が主制御装置７０から球払出制御装置７４を経由して球発射制御装置７５に送信される。プリぺードカードユニット９２から上皿装置９４には貸出可能状態を遊技者に知らせるためのＬＥＤを点灯させる信号及び７セグメントＬＥＤのような度数表示器にカード残高やエラーを表示させる信号が送られる。球払出制御装置７４からプリぺードカードユニット９２にはプリぺードカードユニット９２と球払出制御装置７４とが接続されているか否かの確認信号やプリぺードカードユニット９２側の待機信号が有効な状態の時に貸出及び貸出完了の信号が送られる。プリぺードカードユニット９２から球払出制御装置７４には遊技機側の待機信号が有効な状態の時に貸出要求及び貸出完了の確認の信号が送られる。
【００４４】
枠側外部情報基板８８は球払出制御装置７４とホールコンピュータに信号の送信を配線により行う。枠側外部情報基板８８には、球払出制御装置７４に加え、扉開放スイッチ９５と球切れスイッチ９６とが配線により接続される。扉開放スイッチ９５は本体枠の前枠が開かれたことを検出する。球切れスイッチ９６はタンクの球が所定量以下になったことを検出する。そして、枠側外部情報基板８８からホールコンピュータに出力される外部情報としては、球払出制御装置７４からの賞球の払出数が所定数を超える毎に１パルス出力される賞球情報やプリぺードカードユニット９２による貸出しの１００円（貸出球数２５個分）毎に１パルス出力される球貸情報、扉開放スイッチ９５からの扉開放情報、球切れスイッチ９６からの補給情報等がある。球切れスイッチ９６からの補給情報によりホールコンピュータは島設備の補給機に補給を促す指示を出力する。
【００４５】
球発射制御装置７５は、本体枠に設けられ、主制御装置７０から球払出制御装置７４を介して入力された発射許可が入力された状態において遊技者が球発射機構中のハンドルを操作することにより球発射機構の電動アクチュエータとしての球発射ソレノイド９７をハンドルの操作量に応じて駆動するための制御処理を行い、その処理結果である駆動信号を配線により球発射ソレノイド９７に出力する。球発射制御装置７５への入力は、主制御装置７０から球払出制御装置７４を介する発射許可及び発射禁止情報、遊技者のハンドル操作量に応じて発射強度調整を行うボリューム情報、遊技者がハンドルに触れていることを確認するためのタッチスイッチからのタッチ情報、遊技者が球の発射を停止させるためのストップスイッチからの球発射停止情報等がある。
【００４６】
主制御装置７０と特別図柄制御装置７１と効果音制御装置７２及び表示灯制御装置７３には電源装置１の出力部６１（図４参照）から図外の分配器のような電源中継基板を経由して直流電源が個別に供給され、球払出制御装置７４には電源装置１の出力部６２から直流電源が供給される。
【図面の簡単な説明】
【図１】  同実施形態の電源装置の外観を示す斜視図。
【図２】  同実施形態のコネクタと出力端との対応付けを示す図表。
【図３】  本発明の実施形態の電源装置の内部を示す構成図。
【図４】  同実施形態の出力部を示すブロック図。
【図５】  同実施形態のパチンコ機の電力系統を示す構成図。
【符号の説明】
１  電源装置
４５〜５３  出力端
１０７〜１１３  コネクタ
【図１】
0003732383.tif 000002
【図２】
0003732383.tif 000003
【図３】
0003732383.tif 000004
【図４】
0003732383.tif 000005
【図５】
0003732383.tif 000006